(57)【特許請求の範囲】
【請求項１】
開口孔を有する外筒と、前記外筒内に摺動可能に収容され、化粧材が充填された内筒と、前記外筒の後端を塞ぐ尾栓と、前記内筒と前記尾栓との間に介挿され、前記内筒を常時前記開口孔方向に付勢するスプリングと、を有する容器本体と、
前記外筒に螺合し、上部腔部より貫通する貫通孔が穿設されるジョイントと、
前記ジョイントより垂下され、腔部が穿設される棒軸と、
前記棒軸の先端に固定される塗布具と、を備え、前記塗布具を前記開口孔より挿入して前記化粧材に当接させる化粧材塗布具容器であって；
前記上部腔部に取り付けられ、先筒と基筒の回転操作によって芯チャック部材の先端に保持された棒状化粧材が前記先筒の先端開口孔より進退する棒状化粧材繰出容器を備え、
前記基筒は、前記ジョイントの前記貫通孔を経由して、前記棒軸の前記腔部に嵌入されることを特徴とする化粧材塗布具容器。
【請求項２】
前記基筒は、前記芯チャック部材と螺合して繰出機構を構成する螺旋部を有し、
前記棒軸の前記腔部には、前記基筒と前記ジョイントとが同期の回動をする手段が設けられることを特徴とする請求項１記載の化粧材塗布具容器。
【発明の詳細な説明】
【技術分野】
【０００１】
本発明は、化粧材塗布具容器に関し、化粧材塗布具と関連する棒状化粧材繰出容器を併用して使用する技術に関する。
【背景技術】
【０００２】
キャップを一体化するとともに、キャップより垂下した塗布具を固定し、化粧料を充填した内筒を容器本体内に収容し、スプリングによって容器本体開口孔方向に常時付勢させる手段をとった発明は、実用新案公報昭５６−２２８０８号公報に開示され、その後多くの類似の発明がなされている。
ただし、この容器を複合的に利用改良した容器は少ない。
【特許文献１】実公昭５６−２２８０８号公報
【特許文献２】特許第３２０２１７８号公報
【特許文献３】特開２００４−１２９９５３号公報
【発明の開示】
【発明が解決しようとする課題】
【０００３】
本発明は、上記問題に鑑みなされたもので、化粧材塗布具容器に棒状化粧材繰出容器を軸方向に固定もしくはカートリッジとして使用することを目的として、全長の長さを出来る限り短くすることを目的にした発明である。
【課題を解決するための手段】
【０００４】
そのため、本発明は、開口孔を有する外筒と、前記外筒内に摺動可能に収容され、化粧材が充填された内筒と、前記外筒の後端を塞ぐ尾栓と、前記内筒と前記尾栓との間に介挿され、前記内筒を常時前記開口孔方向に付勢するスプリングと、を有する容器本体と、前記外筒に螺合し、上部腔部より貫通する貫通孔が穿設されるジョイントと、前記ジョイントより垂下され、腔部が穿設される棒軸と、前記棒軸の先端に固定される塗布具と、を備え、前記塗布具を前記開口孔より挿入して前記化粧材に当接させる化粧材塗布具容器であって；前記上部腔部に取り付けられ、先筒と基筒の回転操作によって芯チャック部材の先端に保持された棒状化粧材が前記先筒の先端開口孔より進退する棒状化粧材繰出容器を備え、前記基筒は、前記ジョイントの前記貫通孔を経由して、前記棒軸の前記腔部に嵌入される手段を講じたものである。
【０００５】
第２の発明においては、前記基筒は、前記芯チャック部材と螺合して繰出機構を構成する螺旋部を有し、前記棒軸の前記腔部には、前記基筒と前記ジョイントとが同期の回動をする手段が設けられるものである。
【発明を実施するための最良の形態】
【０００６】
本発明の実施の形態を、添付図面により以下において詳細に説明する。
【実施例１】
【０００７】
本発明の化粧材塗布具容器１は、図１の（Ａ）で示す状態が使用前であり、キャップ４と容器本体２を回動すると、ジョイント３とキャップ４が同期に回動し、容器本体２より棒軸６と塗布具７が抜け出し、塗布具７が使用できる状態が（Ｂ）に示されている。
【０００８】
また、棒状化粧材（カートリッジ５）を使用する際は、キャップ４を容器本体２より軸方向に離脱し、ジョイント３と先筒５０の回転操作で内挿された棒状化粧材Ｂを進退し、使用する。
【０００９】
本発明は、図１の（Ａ）の状態（キャップ４を除く先筒５０先端開口孔５１まで）の全長の長さを短くすることを目的としたもので、棒状化粧材Ｂを使用可能な化粧材塗布具容器を化粧ポーチ等に携帯可能な長さにすることを目的になされている。
【００１０】
化粧材塗布具容器１は、外筒２０内に摺動自在に収容された内筒８に化粧材Ａを充填し、スプリング９によって常時容器本体２の開口孔２１方向に常時付勢され、外筒２０の後端を塞ぐ尾栓１０とで構成される容器本体２と、容器本体２の口栓に設けた雄ねじ２２に開閉螺合する螺旋部３３を貫通孔３２に備えたジョイント３は、棒軸６が延設され、軸部６７の先端に塗布具７が固着されて前記容器本体内の化粧材Ａに当接している。ジョイント３は、図２の（Ｅ）に示す如く、上部円筒体３０ａと下部円筒体３０ｂの外観よりなり、（Ｃ）キャップ４の内径リブ４３と係合する縦リブ３５と嵌合凹部４２と着脱自在に嵌合する係合突起３６が設置されるとともに、上部腔部３１より貫通孔３２が穿設され、上部腔部３１の内径には後述するカートリッジ５の基筒６０が着脱自在に連結する基筒嵌合部３１ａが配され、貫通孔３２下部に（Ｆ）棒軸６が嵌合固定部６３で嵌合凹部３４を含む内径に回動不能脱落不能に固着される。
又、棒軸６には腔部６４が穿設され、ローレット６５が設置される。
【００１１】
実施例１で、棒状化粧材繰出容器はカートリッジ５として図２の（Ｄ）に構成が示される。カートリッジ５は先筒５０と基筒６０を回動可能脱落不能に組み付けた中に、先端に棒状化粧材Ｂを保持した芯チャック部材７０を摺動可能に内挿したもので、先筒５０と基筒６０との回動によって、棒状化粧材Ｂが進退する機構のものであればよい。実施例１では基筒６０が螺旋筒６０ａを兼ね、螺旋部６１が芯チャック部材７０の雄ねじ突起７３に螺合するとともに、先筒５０側では爪片７２の基部の凸片７６が摺動溝５２に係合して回転止機構を構成し、繰出機構としている。
【００１２】
実施例１では、棒状化粧材繰出容器はカートリッジ５としてジョイント３の上部腔部３１に係合凸部７５で基筒の嵌合部３１ａに着脱自在に嵌合するが、脱落不能に連結し、棒状化粧材Ｂを使い切りとしてもよい。基筒６０は、ジョイント３の上部腔部３１より貫通孔３２を経由して、その一部が棒軸６に穿設された腔部６４に嵌入していることを本発明の特徴としている。
【００１３】
そのため、化粧材塗布具容器１の全長がカートリッジ５を装着した状態でも短いものとなり、使い勝手がよいとともに、携帯にも便利な化粧材塗布具容器を提供できる。
【００１４】
実施例１では、カートリッジ５の基筒６０の基部にリブ６２を立設し（図２（Ｄ）正面図参照）棒軸６の腔部６４にローレット６５を設け、前記リブ６２と係合して螺旋筒６０ａとジョイント３が同期に回動する手段としていることを第２の特徴としている。実施例１では基筒６０と螺旋筒６０ａを同一の部材としているが、別個の部材として組み合わせてもよい。
【００１５】
図３は容器本体２を構成する（Ｇ）外筒２０（Ｈ）化粧材Ａを充填された内筒８（Ｉ）スプリング９（Ｊ）尾栓１０の各部材を示す図である。
外筒２０の後部開口孔より内筒８を内挿し、摺動突起８ａを縦溝２３に係合するとともに、スプリング９の先端９ａを内筒８の底部に当接させ、後端９ｂを尾栓１０の底面１３に当接した状態で尾栓１０の係合突起１２を外筒２０の嵌合部２４に嵌着して、容器本体２を構成する。
【実施例２】
【００１６】
図４は、本発明の化粧材塗布具容器１０１の縦一部断面図を示すもので、実施例１と同構成の部材及び部位は、図１〜図３に使用された同符号で説明する。
図５は、第１実施例と異なるカートリッジ１０５の形態と、基筒１６０と同期に係合するジョイント１０３及び棒軸１０６の各部材を表している。
【００１７】
化粧材塗布具容器１０１の容器本体２の構成は、実施例１の化粧材塗布具容器１の容器本体２と、図３に示す外筒２０、内筒８、スプリング９、尾栓１０と全く同様の構成をなし、ジョイント１０３より垂下した棒軸１０６及び先端に固着された塗布具７による化粧材Ａの使用方法は、実施例１と全く同様な作動をする。
カートリッジ１０５は、棒状化粧材Ｃを内挿し、先筒５０と基筒１６０の回動で芯チャック部材７０を進退する構成は実施例１と同様である。実施例２の図５で示す（Ｌ）カートリッジ１０５が(Ｍ)ジョイント１０３の上部腔部３１より挿入されると、基筒１６０は貫通孔３２を経由して（Ｎ）棒軸１０６の腔部６４にその一部を嵌入させるとともに、ジョイント１０３の内径に設けたローレット１６５と基筒１６０外周に設けたリブ１６２に係合して、螺旋筒１６０ａとジョイント１０３を同期に回動する手段としていることが実施例１との相違である。
【００１８】
本発明は、化粧材塗布具容器と、棒状化粧材繰出容器を併用して使用可能とするとともに、その全長を短くする目的でなされた発明である。
【図面の簡単な説明】
【００１９】
【図１】本発明の第１の実施例の化粧材塗布具容器である。(Ａ)は塗布具が使用前の状態を示し、(Ｂ)は塗布具が使用できる状態を示している。
【図２】図１で示されている化粧材塗布具容器の各部材の正面図と断面図である。(Ｃ)はキャップを示し、(Ｄ)はカートリッジを示し、(Ｅ)はジョイントを示し、(Ｆ)は棒軸を示す。
【図３】容器本体を構成する、(Ｇ)外筒、(Ｈ)内筒、(Ｉ)スプリング、(Ｊ)尾栓の各部材を示す図である。
【図４】本発明の第２実施例の化粧材塗布具容器である。
【図５】第１実施例と異なるカートリッジ１０５の形態を示している。
【符号の説明】
【００２０】
Ａ・・・・化粧材
Ｂ・・・・棒状化粧材
Ｃ・・・・棒状化粧材
ａ・・・・連結部
ｂ・・・・連結部
１・・・・化粧材塗布具容器
２・・・・容器本体
３・・・・ジョイント
４・・・・キャップ
５・・・・カートリッジ
６・・・・棒軸
７・・・・塗布具
８・・・・内筒
８ａ・・・摺動突起
９・・・・スプリング
９ａ・・・先端
９ｂ・・・後端
１０・・・尾栓
１１・・・フランジ
１２・・・係合突起
１３・・・底面
２０・・・外筒
２１・・・開口孔
２２・・・雄ねじ
２３・・・縦溝
２４・・・嵌合部
３０ａ・・上部円筒体
３０ｂ・・下部円筒体
３１・・・上部腔部
３１ａ・・基筒嵌合部
３２・・・貫通孔
３３・・・螺旋部
３４・・・嵌合凹部
３５・・・縦リブ
３６・・・係合突起
４０・・・円筒
４１・・・開口孔
４２・・・嵌合凹部
４３・・・リブ
５０・・・先筒
５１・・・先端開口孔
５２・・・摺動溝
５３・・・貫通孔
６０・・・基筒
６０ａ・・螺旋筒
６１・・・螺旋部
６２・・・リブ
６３・・・嵌合固定部
６４・・・腔部
６５・・・ローレット
６６・・・嵌合凸部
６７・・・軸部
７０・・・芯チャック部材
７１・・・化粧材保持部
７２・・・爪片
７３・・・雄ネジ突起
７４・・・棒軸
７５・・・係合凸部
８０・・・係止片
１０１・・化粧材塗布具容器
１０３・・ジョイント
１０５・・カートリッジ
１０６・・棒軸
１６０・・基筒
１６０ａ・螺旋筒
１６２・・リブ
１６５・・ローレット
【図１】
0004808449.tif 000002
【図２】
0004808449.tif 000003
【図３】
0004808449.tif 000004
【図４】
0004808449.tif 000005
【図５】
0004808449.tif 000006